(57)【要約】【要  約】【課  題】    本発明は、熱交換冷媒パイプ部での熱交換効率を上げるために真空断熱材を用いるものは公知であるが、本発明は、このような冷却貯蔵庫において、適切な構成を提案するものである。【解決手段】  本発明の冷却貯蔵庫は、  前記内箱と外箱との間の外箱側に前記真空断熱材を配置し内箱側に前記発泡断熱材を充填し、  前記サクションパイプを、前記平板状真空断熱材の周縁から内側方向に離れた位置に対応する前記発泡断熱材中に埋設し、前記周縁から離れた範囲内を引き回した後に、前記周縁に対応する位置を経て前記機械室内に引き出すとと共に、  前記熱交換冷媒パイプ部の大部分又は全部を前記発泡断熱材中に埋設された前記サクションパイプにて形成することを特徴とする。【選択図】  図２
2008101887.tif 000002
【特許請求の範囲】
【請求項１】
内箱と、外箱と、この内箱と外箱との間に充填された発泡断熱材と、圧縮機と凝縮器とが配置される機械室と、貯蔵室を冷却するための空気を冷却する冷却器と、この冷却器に冷媒を導くとともに減圧を行うキャピラリーチューブと、前記冷却器からの冷媒を前記圧縮機に戻すサクションパイプと、このサクションパイプの部分であり前記キャピラリーチューブと接することによりこのキャピラリーチューブとの熱交換を行う熱交換冷媒パイプ部と、前記内箱と前記外箱との間に配置された平板状の真空断熱材とを備える冷却貯蔵庫において、
前記内箱と外箱との間の外箱側に前記真空断熱材を配置し内箱側に前記発泡断熱材を充填し、
前記サクションパイプを、前記平板状真空断熱材の周縁から内側方向に10cm以上離れた位置に対応する前記発泡断熱材中に埋設し、前記周縁から10cm以上離れた範囲内を引き回した後に、前記周縁に対応する位置を経て前記機械室内に引き出すとと共に、
前記熱交換冷媒パイプ部の大部分又は全部を前記発泡断熱材中に埋設された前記サクションパイプにて形成することを特徴とする冷却貯蔵庫。
【請求項２】
前記平板状の真空断熱材とは、平板形状の芯材をガスバリアフィルムで覆ったことを特徴とする請求項１に記載の冷却貯蔵庫。
【請求項３】
前記熱交換冷媒パイプ部には、スペーサが嵌合されて前記発泡断熱材中での位置規制がなされていることを特徴とする請求項１に記載の冷却貯蔵庫。
【請求項４】
内箱と、外箱と、この内箱と外箱との間に充填された発泡断熱材と、圧縮機と凝縮器とが配置される機械室と、貯蔵室を冷却するための空気を冷却する冷却器と、この冷却器に冷媒を導くとともに減圧を行うキャピラリーチューブと、前記冷却器からの冷媒を前記圧縮機に戻すサクションパイプと、このサクションパイプの部分であり前記キャピラリーチューブと接することによりこのキャピラリーチューブとの熱交換を行う熱交換冷媒パイプ部と、前記内箱と前記外箱との間に配置された平板状の真空断熱材とを備える冷却貯蔵庫において、
前記内箱と外箱との間の外箱側に前記真空断熱材を配置し内箱側に前記発泡断熱材を充填し、
前記サクションパイプを、前記平板状真空断熱材の周縁から内側方向に離れた位置に対応する前記発泡断熱材中に埋設し、前記周縁から離れた範囲内を引き回した後に、前記周縁に対応する位置を経て前記機械室内に引き出すとと共に、
前記熱交換冷媒パイプ部の大部分又は全部を前記発泡断熱材中に埋設された前記サクションパイプにて形成することを特徴とする冷却貯蔵庫。
【発明の詳細な説明】
【技術分野】
【０００１】
本発明は、冷却貯蔵庫に関し、特に真空断熱材を備えた家庭用冷凍冷蔵庫において、冷却効率を向上させるために適した熱交換冷媒パイプ部の引き回しを提案するものである。
【背景技術】
【０００２】
家庭用の冷凍冷蔵庫において、断熱性能を向上させるために真空断熱材を用いているものがある。このタイプの冷凍冷蔵庫では、外箱と内箱の間に、真空断熱材を配置すると共に発泡断熱材を発泡充填して断熱性能を向上させている。この真空断熱材は、内箱側に配置されても良いが、一般には、作業性等を考慮して外箱内面に貼り付けられるケースがほとんどである。このように、冷凍冷蔵庫の外箱には、真空断熱材が配置される。
【０００３】
ところで、冷凍冷蔵庫の外箱には、冷媒パイプも配置される。この冷媒パイプは、高温高圧の冷媒を冷却しており、凝縮器（放熱器）で行われる冷媒凝縮（放熱）作用の補助を行っている。尚、このような作用を行う冷媒パイプ部分は、放熱パイプとも呼ばれている。
【０００４】
つまり、冷凍冷蔵庫の外箱には、高温の冷媒パイプが放熱のために配置されるとともに、庫内の断熱性能を向上させるために真空断熱材が配置されている。
【０００５】
そして、この両者が互いに与える悪影響を減少させる配置方法が、特許文献１〜５等で提案されている。
【特許文献１】特開２００５−６９６１３号公報
【特許文献２】特開２００６−１１２６４０号公報
【特許文献３】特開平１０−１４８４５５号公報
【特許文献４】特開２００５−２１４４８５号公報
【特許文献５】特開２００５−５５０８６号公報  ところで、冷凍冷蔵庫の冷媒パイプの中でサクションパイプと呼べれる部分がある。このサクションパイプは、冷却器（蒸発器）からの冷媒を圧縮機に戻す冷媒パイプであり、特許文献６〜１０等で紹介されているように、サクションパイプの一部は、キャピラリーチューブ（毛細管）に半田溶接等で接合されて、このキャピラリーチューブと熱交換を行う。尚、この熱交換を行うサクションパイプ部分を以後熱交換冷媒パイプ部と呼ぶ。
【特許文献６】特開２００５−１９５２０１号公報
【特許文献７】特開２００２−３７２３１９号公報の図８等
【特許文献８】特開平０９−１７０８６７号公報
【特許文献９】特開２００４−２４５５２６号公報
【特許文献１０】特許第３６９６０６４号公報この熱交換冷媒パイプ部の熱交換性能が良いと、冷凍冷蔵庫の冷却効率が向上するので、この熱交換冷媒パイプ部の熱交換性能を向上させることが提案されている。真空断熱材を採用して熱交換性能が向上している冷凍冷蔵庫も提案されている。
【発明の開示】
【発明が解決しようとする課題】
【０００６】
本発明は、熱交換冷媒パイプ部での熱交換効率を上げるための一構成を提案するものである。つまり、熱交換冷媒パイプ部での熱交換効率を上げるために真空断熱材を用いるものは公知であるが、本発明は、このような冷却貯蔵庫において、適切な構成を提案するものである。
【課題を解決するための手段】
【０００７】
本発明の冷却貯蔵庫は、内箱と、外箱と、この内箱と外箱との間に充填された発泡断熱材と、圧縮機と凝縮器とが配置される機械室と、貯蔵室を冷却するための空気を冷却する冷却器と、この冷却器に冷媒を導くとともに減圧を行うキャピラリーチューブと、前記冷却器からの冷媒を前記圧縮機に戻すサクションパイプと、このサクションパイプの部分であり前記キャピラリーチューブと接することによりこのキャピラリーチューブとの熱交換を行う熱交換冷媒パイプ部と、前記内箱と前記外箱との間に配置された平板状の真空断熱材とを備える冷却貯蔵庫において、
前記内箱と外箱との間の外箱側に前記真空断熱材を配置し内箱側に前記発泡断熱材を充填し、
前記サクションパイプを、前記平板状真空断熱材の周縁から内側方向に離れた位置に対応する前記発泡断熱材中に埋設し、前記周縁から離れた範囲内を引き回した後に、前記周縁に対応する位置を経て前記機械室内に引き出すとと共に、
前記熱交換冷媒パイプ部の大部分又は全部を前記発泡断熱材中に埋設された前記サクションパイプにて形成することを特徴とする。
【０００８】
本発明の冷却貯蔵庫は、内箱と、外箱と、この内箱と外箱との間に充填された発泡断熱材と、圧縮機と凝縮器とが配置される機械室と、貯蔵室を冷却するための空気を冷却する冷却器と、この冷却器に冷媒を導くとともに減圧を行うキャピラリーチューブと、前記冷却器からの冷媒を前記圧縮機に戻すサクションパイプと、このサクションパイプの部分であり前記キャピラリーチューブと接することによりこのキャピラリーチューブとの熱交換を行う熱交換冷媒パイプ部と、前記内箱と前記外箱との間に配置された平板状の真空断熱材とを備える冷却貯蔵庫において、
前記内箱と外箱との間の外箱側に前記真空断熱材を配置し内箱側に前記発泡断熱材を充填し、
前記サクションパイプを、前記平板状真空断熱材の周縁から内側方向に10cm以上離れた位置に対応する前記発泡断熱材中に埋設し、前記周縁から10cm以上離れた範囲内を引き回した後に、前記周縁に対応する位置を経て前記機械室内に引き出すとと共に、
前記熱交換冷媒パイプ部の大部分又は全部を前記発泡断熱材中に埋設された前記サクションパイプにて形成することを特徴とする。
【０００９】
更に、本発明は、前記平板状の真空断熱材とは、平板形状の芯材をガスバリアフィルムで覆ったことを特徴とする。
【００１０】
更に、本発明は、前記熱交換冷媒パイプ部には、スペーサが嵌合されて前記発泡断熱材中での位置規制がなされていることを特徴とする。
【発明の効果】
【００１１】
本発明によれば、真空断熱材の周縁から離れた位置で熱交換冷媒パイプ部を基本的に引き回しているので、真空断熱材のヒートブリッジの影響を極力低減でき熱交換効率を向上でき、しいては冷蔵庫の冷却効率を向上できる。
【発明を実施するための最良の形態】
【００１２】
本発明の冷却貯蔵庫は、内箱と、外箱と、この内箱と外箱との間に充填された発泡断熱材と、圧縮機と凝縮器とが配置される機械室と、貯蔵室を冷却するための空気を冷却する冷却器と、この冷却器に冷媒を導くとともに減圧を行うキャピラリーチューブと、前記冷却器からの冷媒を前記圧縮機に戻すサクションパイプと、このサクションパイプの部分であり前記キャピラリーチューブと接することによりこのキャピラリーチューブとの熱交換を行う熱交換冷媒パイプ部と、前記内箱と前記外箱との間に配置された平板状の真空断熱材とを備える冷却貯蔵庫において、
前記内箱と外箱との間の外箱側に前記真空断熱材を配置し内箱側に前記発泡断熱材を充填し、
前記サクションパイプを、前記平板状真空断熱材の周縁から内側方向に10cm以上離れた位置に対応する前記発泡断熱材中に埋設し、前記周縁から10cm以上離れた範囲内を引き回した後に、前記周縁に対応する位置を経て前記機械室内に引き出すとと共に、
前記熱交換冷媒パイプ部の大部分又は全部を前記発泡断熱材中に埋設された前記サクションパイプにて形成することを特徴とする。
【実施例１】
【００１３】
図１と図２を参照しつつ、本発明の１実施例を説明する。図１は本発明を家庭用冷凍冷蔵庫に採用した実施例において、各部品の配置等を説明するものである。図２は、熱交換冷媒パイプ部と真空断熱材の位置関係を説明するための図である。
【００１４】
図１は、家庭用冷凍冷蔵庫であり、外箱と内箱の間の断熱材中には真空断熱材１，２，３が配される。左右両側面に真空断熱材１，２が配され、背面には真空断熱材３が配される。４は冷蔵庫の内側中央に配された冷却器である。５は圧縮機である。この圧縮機５は、主凝縮器６と共に冷蔵庫下部の機械室７に配置される。この家庭用冷蔵庫も従来と同様に、内箱と、外箱と、この内箱と外箱との間に充填された発泡断熱材と、圧縮機と凝縮器とが配置される機械室と、貯蔵室を冷却するための空気を冷却する冷却器と、この冷却器に冷媒を導くとともに減圧を行うキャピラリーチューブと、前記冷却器からの冷媒を前記圧縮機に戻すサクションパイプと、このサクションパイプの部分であり前記キャピラリーチューブと接することによりこのキャピラリーチューブとの熱交換を行う熱交換冷媒パイプ部と、前記内箱と前記外箱との間に配置された平板状の真空断熱材とを備えている。また、この平板状の真空断熱材も、平板形状の芯材をガスバリアフィルムで覆った従来からのものである。
【００１５】
また、従来と同様に、内箱と外箱の背面板との間においては、背面板側（外箱側）に真空断熱材３を配置し内箱側に発泡断熱材を充填している。
【００１６】
また、従来と同様に、熱交換冷媒パイプ部の大部分又は全部を発泡断熱材中に埋設されたサクションパイプにて形成している。
【００１７】
図２も、主要部品の配置を示している。４は貯蔵室を冷却するための空気を冷却する冷却器である。１１は、この冷却器４に冷媒を導くとともに減圧を行うキャピラリーチューブである。１０は、冷却器４からの冷媒を圧縮機５に戻すサクションパイプである。１０ａは、このサクションパイプ１０の部分でありキャピラリーチューブ１１と接することによりこのキャピラリーチューブ１１との熱交換を行う熱交換冷媒パイプ部である。このサクションパイプ１０とキャピラリーチューブ１１は、機械室７から発泡断熱材１４中を通って冷却器４に繋がっている。また、発泡断熱材１４中では、このとき、真空断熱材３の前方に位置する。つまり、１２ａから断熱材中に入り、１２ｂで断熱材中から機械室７に入る。この実施例では、熱交換冷媒パイプ部１０ａはスペーサ（図示せず）が嵌合されて発泡断熱材中での位置規制がなされている。
【００１８】
熱交換冷媒パイプ部１０ａは真空断熱材３のヒートブリッジの悪影響を低減するために、周縁から10cm以上離れた内側をできるだけ引き回している。周縁に近づくのは機械室７入るときだけとする。なお、ここでは、周縁に近づくまでにキャピ１１とサクション１０の接合を解いている。
【産業上の利用可能性】
【００１９】
本発明は、冷却貯蔵庫であれば採用可能であるが、真空断熱材を採用した家庭用冷凍冷蔵庫に最適である。
【図面の簡単な説明】
【００２０】
【図１】本発明の一実施例の冷蔵庫の概略を説明するための図である。
【図２】本発明の一実施例を説明するための図である。
【符号の説明】
【００２１】
３  真空断熱材
４  冷却器
１０ａ  熱交換冷媒パイプ部。
【図１】
2008101887.tif 000003
【図２】
2008101887.tif 000004